(57)【要約】      （修正有）【課題】携帯端末装置にて撮影した現場映像を情報として簡便に共有できる投稿画像システムを提供する。【解決手段】携帯端末装置１から入力された投稿者情報を投稿者情報データベース１４にて確認する投稿者情報処理部１３と、携帯端末装置１から入力された現場映像の位置情報をＩＤとともに位置情報データベース１７に登録する位置情報処理部１６と、携帯端末装置１から入力された現場映像の付帯情報をＩＤとともに付帯情報データベース２０に登録する付帯情報処理部１９と、携帯端末装置１から入力された現場映像をＩＤとともに画像情報データベース２３に登録する画像登録処理部２２と、ＩＤをキーとして、位置情報、現場映像、および付帯情報をそれぞれ抽出して、位置情報に対する現場の地図情報、現場映像および付帯情報を表示する地図表示処理部７１とを備える。【選択図】図３
2011248708.tif 000002
【特許請求の範囲】
【請求項１】
携帯端末装置にて撮影された現場の現場映像を投稿するための投稿画面システムにおいて、
上記携帯端末装置から入力された上記投稿者情報を投稿者情報データベースにて確認する投稿者情報処理部と、
上記携帯端末装置から入力された上記現場映像の位置情報をＩＤとともに位置情報データベースに登録する位置情報処理部と、
上記携帯端末装置から入力された上記現場映像の付帯情報を上記ＩＤとともに付帯情報データベースに登録する付帯情報処理部と、
上記携帯端末装置から入力された上記現場映像を上記ＩＤとともに画像情報データベースに登録する画像登録処理部と、
上記ＩＤをキーとして、上記位置情報データベース、上記付帯情報データベース、上記画像情報データベースから上記位置情報、上記現場映像、および上記付帯情報をそれぞれ抽出して、上記位置情報に対する上記現場の地図情報、上記現場映像および上記付帯情報を表示する地図表示処理部とを備えたことを特徴とする投稿画像システム。
【請求項２】
上記位置情報処理部は、上記現場映像の位置情報を上記携帯端末装置のＧＰＳ情報または基地局情報の入力により位置情報データベースに登録する機能を有することを特徴とする請求項１に記載の投稿画像システム。
【請求項３】
上記位置情報処理部は、上記現場映像の位置情報を上記携帯端末装置の入力情報により位置情報データベースに登録する機能を有することを特徴とするは請求項２に記載の投稿画像システム。
【発明の詳細な説明】
【技術分野】
【０００１】
この発明は、投稿された画像を地図表示する投稿画像システムに関するものである。
【背景技術】
【０００２】
従来、災害発生時、被害状況の把握のために地方公共団体の職員が現場に駆けつけるが、そこで発生している状況をいち早く本部に伝達し、本部内で情報を共有するまでに時間を要し、迅速な対策の立案と指示ができない場合がある。
【先行技術文献】
【特許文献】
【０００３】
【特許文献１】特開２００９−１４６３６９号公報
【発明の概要】
【発明が解決しようとする課題】
【０００４】
従来の投稿画像システムは、災害発生時、地方公共団体の職員は被害状況の把握を現場映像や写真を撮影し、その情報を庁内職員との間で共有するが、撮影した職員が庁内に戻ってくるまでに時間を要するという問題点がある。また、災害名称、被害種別、撮影地点名称、撮影場所、撮影日時、投稿者名の付帯情報と撮影した現場映像や写真の関連付けが困難であるという問題点がある。
【０００５】
この発明は上記のような課題を解決するためになされたものであり、携帯端末装置にて撮影した現場映像を情報として簡便に共有することができる投稿画像システムを提供することを目的とする。
【課題を解決するための手段】
【０００６】
この発明は、携帯端末装置にて撮影された現場の現場映像を投稿するための投稿画面システムにおいて、
携帯端末装置から入力された投稿者情報を投稿者情報データベースにて確認する投稿者情報処理部と、
携帯端末装置から入力された現場映像の位置情報をＩＤとともに位置情報データベースに登録する位置情報処理部と、
携帯端末装置から入力された現場映像の付帯情報をＩＤとともに付帯情報データベースに登録する付帯情報処理部と、
携帯端末装置から入力された現場映像をＩＤとともに画像情報データベースに登録する画像登録処理部と、
ＩＤをキーとして、位置情報データベース、付帯情報データベース、画像情報データベースから位置情報、現場映像、および付帯情報をそれぞれ抽出して、位置情報に対する現場の地図情報、現場映像および付帯情報を表示する地図表示処理部とを備えたものである。
【発明の効果】
【０００７】
この発明の投稿画像システムは、携帯端末装置にて撮影された現場の現場映像を投稿するための投稿画面システムにおいて、
携帯端末装置から入力された投稿者情報を投稿者情報データベースにて確認する投稿者情報処理部と、
携帯端末装置から入力された現場映像の位置情報をＩＤとともに位置情報データベースに登録する位置情報処理部と、
携帯端末装置から入力された現場映像の付帯情報をＩＤとともに付帯情報データベースに登録する付帯情報処理部と、
携帯端末装置から入力された現場映像をＩＤとともに画像情報データベースに登録する画像登録処理部と、
ＩＤをキーとして、位置情報データベース、付帯情報データベース、画像情報データベースから位置情報、現場映像、および付帯情報をそれぞれ抽出して、位置情報に対する現場の地図情報、現場映像および付帯情報を表示する地図表示処理部とを備えたので、携帯端末装置にて撮影した現場映像を情報として簡便に共有できる。
【図面の簡単な説明】
【０００８】
【図１】この発明の実施の形態１における投稿画像システムの構成を示す図である。
【図２】図１に示した投稿画像システムの動作を説明するためのフローチャートである。
【図３】図１に示した投稿画像システムの投稿画像処理装置の構成を示す図である。
【図４】図１に示した投稿画像システムにて用いられる投稿者情報画面の構成を示す図である。
【図５】図１に示した投稿画像システムにて用いられる位置情報画面の構成を示す図である。
【図６】図１に示した投稿画像システムにて用いられる付帯情報画面の構成を示す図である。
【図７】図１に示した投稿画像システムにて用いられる画像送信画面の構成を示す図である。
【図８】図１に示した投稿画像システムにて表示される地図表示画面の構成を示す図である。
【図９】この発明の実施の形態２における投稿画像システムの投稿画像処理装置の構成を示す図である。
【図１０】この発明の実施の形態２における投稿画像システムの動作を説明するためのフローチャートである。
【図１１】この発明の実施の形態２における投稿画像システムにて用いられる画像登録画面の構成を示す図である。
【図１２】この発明の実施の形態２における投稿画像システムにて用いられる投稿画像登録画面の構成を示す図である。
【発明を実施するための形態】
【０００９】
実施の形態１．
以下、本願発明の実施の形態について説明する。図１はこの発明の実施の形態１における投稿画像システムの構成を示す図、図２は図１に示した投稿画像システムの動作を説明するためのフローチャート、図３は図１に示した投稿画像システムの投稿画像処理装置の構成を示す図、図４は図１に示した投稿画像システムにて用いられる投稿者情報画面の構成を示す図、図５は図１に示した投稿画像システムにて用いられる位置情報画面の構成を示す図、図６は図１に示した投稿画像システムにて用いられる位置・付帯情報画面の構成を示す図、図７は図１に示した投稿画像システムにて用いられる画像送信画面の構成を示す図、図８は図１に示した投稿画像システムにて表示される地図表示画面の構成を示す図である。
【００１０】
本願発明は、現場撮影担当職員が携帯端末装置を用いて現場の映像や写真を撮影した後、インターネットを利用して投稿者情報、位置情報、付帯情報、撮影した現場映像（写真を含む。以下においても同様であるため適宜省略する。）を投稿する。また、庁内に戻ってきた場合は、ローカルＬＡＮを利用して、撮影した現場映像、位置情報、付帯情報を投稿する。撮影された現場映像は、登録された付帯情報と登録された位置の地図とにて表示することができるものである。
【００１１】
図において、携帯端末装置１と投稿画像処理装置５とはインターネット５およびローカルＬＡＮ４のいずれかにて送受信することができる。また、パソコン２と投稿画像処理装置５とはローカルＬＡＮ４にて送受信することができる。そして、投稿画像処理装置５は、携帯端末装置１から入力された投稿者情報画面１２の投稿者情報を投稿者情報データベース１４にて確認する投稿者情報処理部１３と、携帯端末装置１のＧＰＳ情報または基地局情報または入力情報から入力された位置・付帯情報画面１８の現場映像の位置情報をＩＤとともに位置情報データベース１７に登録する位置情報処理部１６と、携帯端末装置１から入力された位置・付帯情報画面１８の現場映像の付帯情報をＩＤとともに付帯情報データベース２０に登録する付帯情報処理部１９とを備える。
【００１２】
さらに、携帯端末装置１から入力された現場映像をＩＤとともに画像情報データベース２３に登録する画像登録処理部２２と、ＩＤをキーとして、位置情報データベース１７、付帯情報データベース２０、画像情報データベース２３から位置情報、現場映像、および付帯情報をそれぞれ抽出して、位置情報に対する現場の地図情報を地図データベース７２から抽出して、地図情報、現場映像および付帯情報を地図表示画面２４として表示する地図表示処理部７１とを備えている。投稿者情報画面１２は投稿者名３１および投稿者所属３２を入力する部分と、登録ボタン３３とを備えている。位置情報画面１５は、ＧＰＳ情報により位置情報を取得するＧＰＳ情報取得ボタン３４と、基地局情報を取得することにより位置情報としてのエリア情報を取得するエリア情報取得ボタン３５と、住所を入力することにより位置情報を取得する住所選択ボタン３６と、入力しないを選択する入力しないボタン３７とを備えている。
【００１３】
位置・付帯情報画面１８は、災害名称３８、被害種別３９、撮影地点名称４０、投稿者名４１、被害概況４２、住所４３、緯度４４、経度４５を入力する（または、表示されている）部分と、登録ボタン４６とを備えている。画像送信画面２１は、宛先４７と、サブジェクト４８と、ＩＤ５０とが表示されており、添付４９の現場映像の入力部分を備えている。地図表示画面２４は、広域地図５２と、付帯情報および現場映像などがツリーになって選択可能なレイヤツリー５３と、レイヤツリー５３にて選択された項目が表示される地図表示領域５４とにて構成されている。
【００１４】
上記のように構成された実施の形態１の投稿画像システムの動作について図２ないし図６を交えて説明する。まず、現場撮影担当職員が携帯端末装置１を用いて現場で撮影した現場映像を投稿画像システムに登録する場合について説明する。まず、投稿画像システムの投稿者情報の確認および登録を行う（図２のステップＳ１）。次に、現場映像の撮影情報に関する位置情報の登録を行う（図２のステップＳ２）。次に、現場映像の撮影情報に関する付帯情報の登録を行う（図２のステップＳ３）。次に、撮影した現場映像を登録する（図２のステップＳ４）ものである。
【００１５】
具体的には、携帯端末装置１にてスタートが選択されると、携帯端末装置１には、例えば図４に示すような投稿者情報画面１２が表示される。そして、現場撮影担当職員は携帯端末装置１から投稿者名３１および投稿者所属３２を入力して登録ボタン３３を押す。次に、登録された投稿者情報画面１２は、投稿画面処理装置５にインターネット３を介して入力される。次に、投稿者情報処理部１３は投稿者データベース１４の投稿者情報を照らし合わして投稿可能か否かを判断し、投稿可能である場合には、携帯端末装置１に例えば図５に示すような位置情報画面１５が表示される。次に、携帯端末装置１は、ＧＰＳ情報取得ボタン３４、エリア情報取得ボタン３５、住所選択ボタン３６、入力しないボタン３７のいずれかを選択する。そして、ＧＰＳ情報取得ボタン３４が選択されると携帯端末装置１のＧＰＳ情報により位置情報が入力される。また、エリア情報取得ボタン３５が選択されると、携帯端末装置１のデータを送受信している基地局情報により位置情報が入力される。また、住所選択ボタン３６が選択されると、別画面が表示され住所を入力することにより位置情報が入力される。また、入力しないボタン３７が選択されると位置情報が入力されないまま次工程へすすむ。
【００１６】
次に、例えば図６に示すような位置・付帯情報画面１８が表示される。そして、位置・付帯情報画面１８で、付帯情報としての災害名称３８、被害種別３、撮影地点名称４０、被害概況４２などがそれぞれ入力される。そして、投稿者名４１欄には先に入力した投稿者名３１があらかじめ入力されている。また、住所４３、緯度４４、経度４５の各欄には、先に入力した位置情報画面１５における情報からそれぞれが入力されている。尚、住所およびエリアが入力されるとそれと連動して緯度および経度は入力され、また、緯度および経度が入力されるとそれと連動して住所が入力されるものである。但し、入力しないを選択した場合には、この欄はブランクとなる。次に、登録ボタン４６を押す。次に、登録された位置・付帯情報画面１８は、投稿画面処理装置５にインターネット３を介して入力される。
【００１７】
次に、位置情報処理部１６は位置・付帯情報画面１８に登録されている位置情報をＩＤとともに位置情報データベース１７に登録する。また、付帯情報処理部１９は位置・付帯情報画面１８に登録されている付帯情報をＩＤとともに付帯情報データベース２０に登録する。次に、このＩＤが携帯端末装置１に発行され、例えば図７に示すような画像送信画面２１が表示される。この画像送信画面２１には、あらかじめ宛先４７が入力されており、サブジェクト４８がブランクとなり、ＩＤ５０は先ほど発行されたＩＤが表示される。そして、添付４９に、現場映像を添付して登録ボタン５１を押す。次に、登録された画像送信画面２１は、投稿画面処理装置５にインターネット３を介して入力される。次に、画像登録処理部２２は現場画像をＩＤとともに画像情報データベース２３に登録する。次に、地図表示処理部７１は、ＩＤをキーとして、位置情報データベース１７、付帯情報データベース２０、画像情報データベース２３から位置情報、現場映像、および付帯情報をそれぞれ抽出して、位置情報に対する現場の地図情報を地図データベース７２から抽出し、地図情報と、現場映像および付帯情報を地図表示画面２４として表示する。
【００１８】
例えば、地図表示画面２４は図８に示すように、地図情報としての広域地図５２と、現場映像および付帯情報を表示するためのレイヤツリー５３と、レイヤツリー５３にて選択された情報を表示するための地図表示領域５４とが表示される。尚、地図表示画面２４の構成は他の構成または他の表示方法であってもよい。また、付帯情報は様々な情報が考えられ、現場映像を投稿するのに必要となる情報であればいずれであってもよい。
【００１９】
上記のように構成された実施の形態１の投稿画像システムは、携帯端末装置から入力された、投稿者情報、位置情報、付帯情報、現場映像情報を関連付けて登録することにより、登録された情報を容易に確認することができ、情報の共有化をはかることができる。また、付帯情報と撮影した現場映像とが一連の動作で登録できるため、誤入力を防止することができる。
【００２０】
尚、上記実施の形態１では、位置情報と付帯情報とを合わせて登録する例を示したが、これに限られることはなく、別々に登録してもよい。また、現場映像を先に登録して、その登録時のＩＤにより、位置情報、付帯情報をそれぞれ登録してもよい。それぞれの登録の順番などはいずれの場合でも同様に行うことができ、上記実施の形態１と同様の効果を奏することが可能である。また、上記実施の形態１では災害において当該システムを使用する例を示したが、それ以外の現場映像を撮影して、その現場映像の位置情報、付帯情報などを表示する必要がある場合には同様に行うことができる。
【００２１】
実施の形態２．
図９はこの発明の実施の形態２における投稿画像システムの投稿画像処理装置の構成を示す図、図１０は図９に示した投稿画像システムの動作を説明するためのフローチャート、図１１はこの発明の実施の形態２における投稿画像システムにて用いられる画像登録画面の構成を示す図、図１２はこの発明の実施の形態２における投稿画像システムにて用いられる投稿画像登録画面の構成を示す図である。図において、上記実施の形態１と同様の部分は同一符号を付して説明を省略する。投稿画像処理装置５は、画像登録画面２５の情報が、画像登録処理部２２に送信され処理される。付帯情報および位置情報が登録されている投稿画面情報登録画面２８の情報が、位置情報処理部１６および付帯情報処理部１９にそれぞれ送信され処理されるものである。
【００２２】
画像登録画面２５は、現場映像が入力される投稿画像５５と、登録ボタン５６とを備える。投稿画像登録画面２８は、画像登録画面２５にて登録された画像のサムネイルが表示されており、災害名称５７、被害種別５８、撮影地点名称５９、住所を入力するための市町村選択ボタン６０、緯度および経度を入力するためのＧＩＳボタン６１、撮影方向６２、投稿者名６４を入力する（または、表示されている）部分と、登録ボタン６５とを備えている。
【００２３】
上記のように構成された実施の形態２の投稿画像システムの動作について図１０ないし図１２を交えて説明する。まず、上記実施の形態１と同様に、現場撮影担当職員が携帯端末装置１を用いて現場で撮影した現場映像を現場から投稿する場合は同様に行い投稿する。本実施の形態２では、現場から投稿しない場合について説明する。まず、投稿画像システムの投稿者情報の確認および登録を行う（図１０のステップＳ１）。次に、撮影した現場映像を登録する（図１０のステップＳ５）。次に、現場映像の撮影情報に関する位置情報および付帯情報の投稿画面情報の登録を行う（図１０のステップＳ６３）ものである。
【００２４】
具体的には、携帯端末装置１または現場映像の格納されているパソコン２からスタートが選択されると、携帯端末装置１またはパソコン２は、上記実施の形態１と同様に例えば図４に示すような投稿者情報画面１２が表示される。そして、現場撮影担当職員は携帯端末装置１またはパソコン２から投稿者名３１および投稿者所属３２を入力して登録ボタン３３を押す。次に、登録された投稿者情報画面１２は、投稿画面処理装置５にインターネット３またはローカルＬＡＮ４を介して入力される。次に、投稿者情報処理部１３は投稿者データベース１４の投稿者情報を照らし合わして投稿可能か否かを判断し、投稿可能である場合には、携帯端末装置１またはパソコン２に例えば図１１に示すような画像登録画面２５が表示される。そして、画像登録画面２５の投稿画像５５に、現場映像を選択して登録ボタン５６を押す。次に、登録された画像登録画面２５は、投稿画面処理装置５にインターネット３またはＬＡＮ２を介して入力される。次に、画像登録処理部２２は現場画像をＩＤとともに画像情報データベース２３に登録する。
【００２５】
次に、このＩＤが携帯端末装置１またはパソコン２に発行され、例えば図１２に示すような投稿画像情報画面１８が表示される。そして、付帯情報としての災害名称５７、被害種別５８、撮影地点名称５９、などがそれぞれ入力される。そして、投稿者名６４欄には先に入力した投稿者名３１があらかじめ入力されている。また、位置情報は、市町村選択ボタン６０を押して、入力するか、ＧＩＳボタン６１を押して、現場映像の情報から緯度および経度を入力する。住所が入力されるとそれと連動して緯度および経度は入力され、また、緯度および経度が入力されるとそれと連動して住所が入力されるものである。また、撮影方向、撮影日時などは現場映像の情報からあらかじめ入力されている。尚、この投稿画像情報画面２８にはＩＤが付されている。次に、登録ボタン６５を押す。次に、登録された投稿画像情報画面２８は、投稿画面処理装置５にインターネット３またはＬＡＮ２を介して入力される。
【００２６】
次に、位置情報処理部１６は投稿画像情報画面２８に登録されている位置情報をＩＤとともに位置情報データベース１７に登録する。また、付帯情報処理部１９は投稿画像情報画面２８に登録されている付帯情報をＩＤとともに付帯情報データベース２０に登録する。次に、地図表示処理部７１は、上記実施の形態１と同様に、ＩＤをキーとして、位置情報データベース１７、付帯情報データベース２０、画像情報データベース２３から位置情報、現場映像、および付帯情報をそれぞれ抽出して、位置情報に対する現場の地図情報を地図データベース７２から抽出し、地図情報と、現場映像および付帯情報を地図表示画面２４として表示する。
【００２７】
上記のように構成された実施の形態２の投稿画像システムは、上記実施の形態１と同様の効果を奏するのはもちろんのこと、現場でなくとも、例えばパソコンなどからでも登録できる。
【符号の説明】
【００２８】
１  携帯端末装置、１３  投稿者情報処理部、１４  投稿者情報データベース、
１６  位置情報処理部、１７  位置情報データベース、１９  付帯情報処理部、
２０  付帯情報データベース、２２  画像登録処理部、２３  画像情報データベース、
７１  地図表示処理部。
【図１】
2011248708.tif 000003
【図２】
2011248708.tif 000004
【図３】
2011248708.tif 000005
【図４】
2011248708.tif 000006
【図５】
2011248708.tif 000007
【図６】
2011248708.tif 000008
【図７】
2011248708.tif 000009
【図８】
2011248708.tif 000010
【図９】
2011248708.tif 000011
【図１０】
2011248708.tif 000012
【図１１】
2011248708.tif 000013
【図１２】
2011248708.tif 000014